(57)【要約】【課題】帯状清掃体が巻かれてできる帯状清掃体ロール部と、この帯状清掃体ロール部の巻き芯になる巻軸芯部とが、帯状清掃体を巻き戻すことなく容易に分離できるものを提供すること。【解決手段】帯状清掃体巻取ロールは、帯状清掃体が巻かれてできる帯状清掃体ロール部と、この帯状清掃体ロール部の巻き芯になる巻取ロール巻軸芯部とを有し、かつ帯状清掃体ロール部が巻取ロール巻軸芯部の軸方向に抜けるように取り付けられていることを特徴とする。【選択図】図１
2005132532.tif 000002
【特許請求の範囲】
【請求項１】
乗客コンベア移動手摺に摺接する帯状清掃体と、この帯状清掃体を前記移動手摺に押付ける押圧ヘッドと、前記帯状清掃体が巻かれている帯状清掃体供給ロールと、摺接清掃後の前記帯状清掃体を巻き取った帯状清掃体巻取ロールとを有する乗客コンベア移動手摺清掃装置において、
前記帯状清掃体巻取ロールは、前記帯状清掃体が巻かれてできる帯状清掃体ロール部と、この帯状清掃体ロール部の巻き芯になる巻取ロール巻軸芯部とを有し、かつ帯状清掃体ロール部が巻取ロール巻軸芯部の軸方向に抜けるように取り付けられていることを特徴とする乗客コンベア移動手摺清掃装置。
【請求項２】
請求項１記載の乗客コンベア移動手摺清掃装置において、
前記帯状清掃体供給ロールを清掃液が溜まる供給ロール収納タンクに収納したことを特徴とする乗客コンベア移動手摺清掃装置。
【請求項３】
請求項２記載の乗客コンベア移動手摺清掃装置において、
前記帯状清掃体供給ロールは、供給ロール収納タンクに収納される際には、少なくとも前記帯状清掃体を巻装する供給ロール巻軸芯部が存在しないことを特徴とする乗客コンベア移動手摺清掃装置。
【請求項４】
請求項２記載の乗客コンベア移動手摺清掃装置において、
前記帯状清掃体供給ロールが供給ロール巻軸方向に移動するのを阻止する移動阻止部材を供給ロール収納タンクに設けたことを特徴とする乗客コンベア移動手摺清掃装置。
【請求項５】
請求項２記載の乗客コンベア移動手摺清掃装置において、
前記帯状清掃体供給ロールから前記押圧ヘッドに移動する前記帯状清掃体をガイドするガイド棒を前記供給ロール収納タンクに設けたことを特徴とする乗客コンベア移動手摺清掃装置。
【請求項６】
本体枠体と、この本体枠体に取り外し自在に備えられ、かつ乗客コンベア移動手摺に摺接する帯状清掃体が巻かれている帯状清掃体供給ロールと、前記帯状清掃体を乗客コンベア移動手摺に押圧する押圧ヘッドと、前記本体枠体に取り外し自在に備えられ、かつ摺接清掃後の前記帯状清掃体を巻き取った帯状清掃体巻取ロールとを有する乗客コンベア移動手摺清掃装置において、
前記帯状清掃体巻取ロールは、前記帯状清掃体が巻かれてできる帯状清掃体ロール部と、この帯状清掃体ロール部の巻き芯になる巻取ロール巻軸芯部とを有し、かつ帯状清掃体ロール部が巻取ロール巻軸芯部の軸方向に抜けるように取り付けられていることを特徴とする乗客コンベア移動手摺清掃装置。
【請求項７】
請求項６記載の乗客コンベア移動手摺清掃装置において、
前記帯状清掃体ロール部の内周側端部には係止部材を設け、前記巻取ロール巻軸芯部の外周には前記係止部材が差し込まれる溝穴を設けたことを特徴とする乗客コンベア移動手摺清掃装置。
【請求項８】
請求項７記載の乗客コンベア移動手摺清掃装置において、
前記係止部材は、前記帯状清掃体と異なる材質で作られていることを特徴とする乗客コンベア移動手摺清掃装置。
【請求項９】
請求項８記載の乗客コンベア移動手摺清掃装置において、
前記係止部材は合成樹脂で形成されていることを特徴とする乗客コンベア移動手摺清掃装置。
【請求項１０】
請求項９記載の乗客コンベア移動手摺清掃装置において、
前記係止部材は、切り起こして形成される掛け爪を有することを特徴とする乗客コンベア移動手摺清掃装置。
【請求項１１】
請求項６記載の乗客コンベア移動手摺清掃装置において、
前記巻取ロール巻軸芯部は、一方の軸端部に巻き取り枠になるフランジを有することを特徴とする乗客コンベア移動手摺清掃装置。
【請求項１２】
請求項１１記載の乗客コンベア移動手摺清掃装置において、
前記巻取ロール巻軸芯部には、前記フランジ側の軸端部側に、駆動源側と着脱自在で、かつ駆動力が伝えられる駆動力伝受部を設け、前記駆動力伝受部の反対側になる軸端部側に、回転自在で、かつ着脱自在に支持される回動支持受部を設けたことを特徴とする乗客コンベア移動手摺清掃装置。
【発明の詳細な説明】
【技術分野】
【０００１】
本発明は、エスカレータ等の乗客コンベアに備えられた移動手摺を清掃する乗客コンベアの移動手摺清掃装置に関する。
【背景技術】
【０００２】
一般に乗客コンベアの移動手摺を布等を用いて清掃することが広く知られている。例えば特開平１０−３３００６４号公報（特許文献１）に記載のように、布等を長いロール状に形成した帯状清掃体を、清掃体巻取り手段に設けられた清掃体巻取り軸で帯状清掃体を清掃体巻取り軸に巻き取りながら、その中間部を移動手摺に押圧して清掃するようにしたものが知られている。
【０００３】
帯状清掃体には、帯状清掃体をロール状に巻き回すために、プラスチック製や紙製等の芯が用いられている。
【０００４】
【特許文献１】特開平１０−３３００６４号公報
【発明の開示】
【発明が解決しようとする課題】
【０００５】
帯状清掃体には、帯状清掃体をロール状に巻き回すためのプラスチック製や紙製等の巻軸芯部が用いられているため、帯状清掃体の使用終了後は、帯状清掃体をロール状に巻き回すための巻軸芯部が廃棄物となってしまう。
【０００６】
また、布等の帯状清掃体と、帯状清掃体をロール状に巻き回すためのプラスチック製等の巻軸芯部は、材質が異なるため、廃棄時には、帯状清掃体と帯状清掃体をロール状に巻き回すためのプラスチック製等の巻軸芯部とを分離して廃棄する必要がある。しかし、巻軸芯部には、両軸端側に巻き取り枠になるフランジがあるので、帯状清掃体を巻き戻して巻軸芯部と帯状清掃体を分離しなければならなく、分離するのに手間がかかった。
【０００７】
このような問題に対処し、本発明は帯状清掃体が巻かれてできる帯状清掃体ロール部と、この帯状清掃体ロール部の巻き芯になる巻軸芯部とが、帯状清掃体を巻き戻すことなく容易に分離できるものを提供することを目的とする。
【課題を解決するための手段】
【０００８】
本発明は、摺接清掃後の帯状清掃体を巻き取った帯状清掃体巻取ロールを有する乗客コンベア移動手摺清掃装置にあって、帯状清掃体巻取ロールは、前記帯状清掃体が巻かれてできる帯状清掃体ロール部と、この帯状清掃体ロール部の巻き芯になる巻取ロール巻軸芯部とを有し、かつ帯状清掃体ロール部が巻取ロール巻軸芯部の軸方向に抜けるように取り付けられていることを特徴とする。
【発明の効果】
【０００９】
本発明によれば、帯状清掃体ロール部がロール状態のままで巻取ロール巻軸芯部から簡単に分離できるので、帯状清掃体ロール部と巻取ロール巻軸芯部との分離に手間がかからない。
【００１０】
また、巻取ロール巻軸芯部は次の帯状清掃体の巻き取りに繰り返し再利用できる良さがある。
【発明を実施するための最良の形態】
【００１１】
以下、本発明の実施形態を示す図を引用して説明する。
【００１２】
まず、図１〜図３を引用して本発明の第１実施例について説明する。
【００１３】
移動手摺清掃装置７は、乗客コンベア移動手摺１の手摺表面に近接して設置される。
【００１４】
移動手摺清掃装置７の本体枠体３０には、帯状清掃体供給ロール３と帯状清掃体巻取ロール１０と押圧ヘッド１１が設けられる。
【００１５】
帯状清掃体供給ロール３は、清掃液９が溜まる清掃液タンク４の上側に備わる。帯状清掃体供給ロール３は、抜き差し自在の支軸３１に支持される。
【００１６】
帯状清掃体供給ロール３から巻き戻された帯状清掃体２は、清掃液タンク４の清掃液９の中をくぐって、乗客コンベア移動手摺１と押圧ヘッド１１との挟持間を抜け、帯状清掃体供給ロール１０に巻かれる。帯状清掃体２は不織布等が用いられ、清掃液９をよく含浸する。
【００１７】
清掃液タンク４の内底側に設けらたガイドロール１２は、帯状清掃体２が浮き上がるのを阻止している。
【００１８】
押圧ヘッド１１は、ヘッド駆動モータ１３の回転によって乗客コンベア移動手摺１に押付けられたり、離れたりする。押圧ヘッド１１のロッド１４はローラ１５を介してヘッド駆動モータ１３のカム１６に連結している。
【００１９】
押圧ヘッド１１、ヘッド駆動モータ１３、ロッド１４、カム１６を含めて清掃体押圧手段８と称する。
【００２０】
乗客コンベア移動手摺１の清掃は、押圧ヘッド１１で帯状清掃体２を乗客コンベア移動手摺１の表面に押付けた状態で行われる。帯状清掃体２を交換するときは、押圧ヘッド１１を乗客コンベア移動手摺１から離した状態で行う。
【００２１】
乗客コンベア移動手摺１の表面を摺接清掃後の汚れた帯状清掃体２は、清掃体巻き取り手段５の回動で巻き取られる。清掃体巻取り手段５は、巻き取り駆動モータ１７と駆動歯車１８を有する。清掃体巻取り手段５に巻かれてできる帯状清掃体巻取ロール１０は、帯状清掃体２が巻かれてできる帯状清掃体ロール部２０と巻取ロール巻軸芯部２１を有する。巻取ロール巻軸芯部２１は、片側の軸端部に巻き取り枠のフランジ２２を有する。フランジ２２の外周に設けられている山歯に駆動歯車１８がかみ合されて、巻き取り駆動モータ１７の回転が巻取ロール巻軸芯部１０に伝えられる。巻取ロール巻軸芯部２１は、合成樹脂で作られる。
【００２２】
帯状清掃体供給ロール３は、図２、図３に示すように、帯状清掃体２の先端側が先を狭くした台形の形状にしている。この台形の先端側を巻取ロール巻軸芯部２１の溝穴に差し込んで、仮巻きをしてから巻き取るようにする。溝穴を設けないときは、巻き解けが生じないように仮巻きを多くする。帯状清掃体２の先端側を台形にすることで、溝穴への差込が容易になる。
【００２３】
さて、帯状清掃体供給ロール３から引き出された帯状清掃体２は、ある一定の清掃サイクル（例えば２４時間サイクル）での清掃が完了した時点で、移動手摺清掃装置７に取付けてある清掃体巻取手段５によって、ある一定量が巻き取られ、乗客コンベア移動手摺１に押圧される面が更新される。
【００２４】
このように、移動手摺清掃装置７は、引き出された帯状清掃体２を清掃体押圧手段８の押圧ヘッド１１で乗客コンベア移動手摺１に押圧して乗客コンベア移動手摺１の清掃をする。ある一定の清掃サイクル完了後に、清掃体押圧手段８の押圧ヘッド１１を乗客コンベア移動手摺１から離間させて帯状清掃体２の挟持を解除した状態で、帯状清掃体２のある一定量を清掃体巻取り手段５で巻き取る。再度、押圧ヘッド１１で帯状清掃体２を乗客コンベア移動手摺１に押圧して乗客コンベア移動手摺１の清掃をする。これを繰り返して、乗客コンベア移動手摺１の表面を清掃する。
【００２５】
一つの帯状清掃体供給ロール３が使い終わると、汚れた帯状清掃体を巻いた帯状清掃体巻取ロール１０ができる。この帯状清掃体巻取ロール１０を本体枠体３０から外す。そして、一方の手で帯状清掃体ロール部２０をつかみ、他方の手で巻取ロール巻軸芯部２１のフランジ２２をつかんで、ねじるように回すことにより、帯状清掃体ロール部２０は巻取ロール巻軸芯部２１のフランジ２２のない方から簡単に外れる。
【００２６】
すなわち、帯状清掃体ロール部２０は巻取ロール巻軸芯部２１の軸方向に抜けるように取り付けられているので、帯状清掃体ロール部２０は巻取ロール巻軸芯部２１から容易に外れるのである。従来のように巻取ロール巻軸芯部から帯状清掃体を巻き解く手間が省けるので、帯状清掃体ロール部の廃棄が容易にできる。
【００２７】
不織布で出来た帯状清掃体ロール部だけの廃棄になるので、分別廃棄に供することができる。また巻取ロール巻軸芯部は、帯状清掃体の巻き取りに繰り返し再利用できる良さがある。
【００２８】
巻取ロール巻軸芯部２１のフランジ２２は、帯状清掃体ロール部２０の最大径と同じか幾分大きい方が望ましい。フランジ２２は帯状清掃体の巻き枠であるとともに帯状清掃体ロール部２０を巻取ロール巻軸芯部２１から外すときの握り部にもなるので、帯状清掃体ロール部２０と同等程度の大きさを必要とするのである。
【００２９】
帯状清掃体供給ロール３は供給ロール巻軸芯部を備えていない。供給ロール巻軸芯部が存在しないのである。
【００３０】
帯状清掃体供給ロール３は、帯状清掃体がロール状に巻き回すために、仮の供給ロール巻軸芯部を使用し、帯状清掃体供給ロール３を生成後に仮の供給ロール巻軸芯部を抜き取る等の方法で作ることができる。
【００３１】
仮の供給ロール巻軸芯部が抜き取られるため、帯状清掃体供給ロール３の中心は、空洞となる。この空洞は、帯状清掃体供給ロール３を支持する支軸３１の差込穴に利用できる。
【００３２】
帯状清掃体供給ロール３には供給ロール巻軸芯部が存在しないので、帯状清掃体供給ロール３を使いきると、従来のような供給ロール巻軸芯部が残ることもなく、供給ロール巻軸芯部を廃棄する手間が省ける。
【００３３】
次に図４〜図１０を引用して本発明の第２実施例について説明する。
【００３４】
先に述べた第１実施例と共通するところは、共通の符号を付して説明は簡略する。
【００３５】
帯状清掃体供給ロール３は、供給ロール収納タンク４０内に落込むように収納される。供給ロール収納タンク４０に溜まる清掃液が帯状清掃体供給ロール３の帯状清掃体４４の不織布に含浸する。
【００３６】
供給ロール収納タンク４０には、上側に移動阻止部材４１が設けられる。この移動阻止部材４１は、落込むよう置かれた帯状清掃体供給ロール３が軸方向に移動するのを阻止するもので、供給ロール収納タンク４０の一方の壁面と移動阻止部材４１との間隔が帯状清掃体４４の幅よりも若干狭くなっている。
【００３７】
また供給ロール収納タンク４０の上側には、ガイド棒４２が設けられる。このガイド棒４２は、前記一方の壁面と移動阻止部材４１との間を横切るように置かれる。帯状清掃体供給ロール３から巻き解かれる帯状清掃体４４は、ガイド棒４２に案内されて押圧ヘッド１１と乗客コンベア移動手摺１の挟持間に導かれる。供給ロール収納タンク４０が転がりながら帯状清掃体４４が引き出される際に帯状清掃体４４は、移動阻止部材４１で横方向に移動しないように規制されるため前記挟持間の所定位置から位置ずれすることなく確実に供給される。
【００３８】
摺接清掃後の帯状清掃体４４が巻かれた帯状清掃体巻取ロール１０は、帯状清掃体ロール部２０と合成樹脂製の巻取ロール巻軸芯部４３を有する。
【００３９】
巻取ロール巻軸芯部４３は差込用の溝穴４５を有する円筒軸体で形成され、一方の軸端には巻き取り枠になるフランジ４６が設けられる。このフランジ４６が設けられる軸端には、係合溝４７を有する駆動力受部が設けられる。フランジ４６が設けられた反対側の軸端には回動支持受部が設けられる。
【００４０】
清掃体巻き取り手段４８は、巻き取り駆動モータで駆動される駆動力伝達部４９を有する。この駆動力伝達部４９に巻取ロール巻軸芯部４３の駆動力受部が着脱自在に支持され、かつ係合溝４７に駆動力伝達部４９の突起が係合して清掃体巻き取り手段４８の駆動力が巻取ロール巻軸芯部４３に伝えられる。
【００４１】
巻取ロール巻軸芯部４３の回動支持受部（駆動力受部の反対側）は、本体枠体３０の方に設けられる支持台６０に回動自在に支持される。支持台６０は、本体枠体３０に支持された支持板６１に設けられる。支持板６１は本体枠体３０に可動自在に支持され、バネ６２で常に本体枠体３０側に引き寄せるように付勢されている。
【００４２】
巻取ロール巻軸芯部４３は、清掃体巻き取り手段４８の駆動力伝達部４９と支持台６０に支持された状態で帯状清掃体４４の巻き取りをする。巻取ロール巻軸芯部４３は、駆動力受部で駆動され、回動支持受部側は支持台６０の外周に嵌合して回動自在に支持されるだけである。
【００４３】
巻取ロール巻軸芯部４３の着脱は、バネ６２に抗して支持板６１の本体枠体３０から離すように開くことで行なわれる。支持板６１の本体枠体３０から離すように開くことで、支持台６０が巻取ロール巻軸芯部４３の回動支持受部から外れるので、駆動力受部も清掃体巻き取り手段４８の駆動力伝達部４９から容易に外れる。巻取ロール巻軸芯部４３の取り付けは、駆動力受部を駆動力伝達部４９に係合し、回動支持受部に支持台６０を嵌めることで、容易に行なわれる。
【００４４】
図９、図１０に示すように、帯状清掃体供給ロール３に巻かれる帯状清掃体４４は、先端側に係止部材６３を有する。係止部材６３は、帯状清掃体４４よりも薄い合成樹脂のフイルムで形成され、両面接着材で帯状清掃体４４に接着されている。係止部材６３には、切り起こして形成した掛け爪６４が設けられる。
【００４５】
係止部材６３は、巻取ロール巻軸芯部４３の溝穴４５に差し込まれる。掛け爪６４が溝穴４５の奥に返し針のように引っ掛かって抜けないので、帯状清掃体４４の巻取ロール巻軸芯部４３への仮巻き付けは、ほとんど必要なく、帯状清掃体の無駄を少なくできる。
【００４６】
一つの帯状清掃体供給ロール３が使い終わると、汚れた帯状清掃体を巻いた帯状清掃体巻取ロール１０ができる。この帯状清掃体巻取ロール１０を本体枠体３０から外す。そして、一方の手で帯状清掃体ロール部２０をつかみ、他方の手で巻取ロール巻軸芯部４３のフランジ４６をつかんで、ねじるように回すことにより、掛け爪６４は容易にちぎれる。このため、帯状清掃体ロール部２０は巻取ロール巻軸芯部４３のフランジ４６のない方から簡単に外れるので、帯状清掃体ロール部２０だけを簡単に廃棄できる。また巻取ロール巻軸芯部４３は、帯状清掃体の巻き取りに繰り返し再利用できる良さがある。
【００４７】
巻取ロール巻軸芯部４３のフランジ４６は、第1実施例と同様に帯状清掃体ロール部２０の最大径と同じか幾分大きい方が望ましい。
【図面の簡単な説明】
【００４８】
【図１】本発明の第１実施例に係るもので、乗客コンベア移動手摺清掃装置の正面図。
【図２】本発明の第１実施例に係るもので、帯状清掃体供給ロールを示す図。
【図３】本発明の第１実施例に係るもので、帯状清掃体供給ロールに巻かれている帯状清掃体の先端側を示す図。
【図４】本発明の第２実施例に係るもので、乗客コンベア移動手摺清掃装置の正面図。
【図５】本発明の第２実施例に係るもので、乗客コンベア移動手摺清掃装置の平面図。
【図６】本発明の第２実施例に係るもので、供給ロール収納タンクと、そこに落とし込まれる帯状清掃体供給ロールを正面から図示した図。
【図７】本発明の第２実施例に係るもので、供給ロール収納タンクと、そこに落とし込まれる帯状清掃体供給ロールを側面から図示した図。
【図８】本発明の第２実施例に係るもので、巻取ロール巻軸芯部を示す図。
【図９】本発明の第２実施例に係るもので、帯状清掃体供給ロールの端部側に設ける係止部材を示す図。
【図１０】本発明の第２実施例に係るもので、図９のＡ−Ａ断面図。
【符号の説明】
【００４９】
１…乗客コンベア移動手摺、２…帯状清掃体、３…帯状清掃体供給ロール、１０…帯状清掃体巻取ロール、１１…押圧ヘッド、２１…巻取ロール巻軸芯部。
【図１】
2005132532.tif 000003
【図２】
2005132532.tif 000004
【図３】
2005132532.tif 000005
【図４】
2005132532.tif 000006
【図５】
2005132532.tif 000007
【図６】
2005132532.tif 000008
【図７】
2005132532.tif 000009
【図８】
2005132532.tif 000010
【図９】
2005132532.tif 000011
【図１０】
2005132532.tif 000012